(57)【特許請求の範囲】
【請求項１】
利用者が共用で利用する共用端末と、該共用端末と無線ネットワークを介して接続された情報提供端末と、利用者が所持し、前記共用端末及び前記情報提供端末と無線ネットワークを介して接続されたリモコン端末とを有するリモート制御システムにおいて、
前記共用端末は、前記リモコン端末を識別可能な情報を含む認証要求情報と前記リモコン端末の利用内容とが対応付けられて予め格納されたデータベースを有し、前記リモコン端末から送信された認証要求情報を受信し、受信された認証要求情報に基づいて前記リモコン端末の利用内容を前記データベースから検索し、該利用内容に基づいた前記共用端末をリモート制御するための利用画面を前記リモコン端末へ送信し、
前記情報提供端末は、該情報提供端末が設置された位置を識別できる情報を含むコード情報を表示し、
前記リモコン端末は、前記情報提供端末にて表示されたコード情報を読み取り、該コード情報の内容を含む前記認証要求情報を前記共用端末へ送信し、前記共用端末から送信された利用画面を受信して表示し、該表示された利用画面にしたがって前記共用端末をリモート制御することを特徴とするリモート制御システム。
【請求項２】
請求項１に記載のリモート制御システムにおいて、
前記共用端末は、該共用端末が設置された位置を識別できる情報を含むコード情報を表示し、
前記リモコン端末は、前記共用端末にて表示されたコード情報と前記情報提供端末にて表示されたコード情報とのいずれか一方のコード情報を読み取り、該読み取ったコード情報の内容を含む前記認証要求情報を前記共用端末へ送信することを特徴とするリモート制御システム。
【請求項３】
請求項１または請求項２に記載のリモート制御システムにおいて、
前記共用端末は、該共用端末をリモート制御する前記リモコン端末の数を制限することを特徴とするリモート制御システム。
【請求項４】
リモコン端末と、リモコン端末の識別情報を読み取るリーダと、前記リモコン端末及び前記リーダと無線ネットワークを介して接続された共用端末とを有するリモート制御システムにおいて、
前記リーダは、前記読み取られた前記リモコン端末の識別情報と前記リーダの識別情報とから認証要求情報を生成し、該認証要求情報を前記共用端末へ送信し、
前記共用端末は、前記認証要求情報と前記リモコン端末の利用内容とが対応付けられて予め格納されたデータベースを有し、前記リーダから送信された認証要求情報を受信し、前記認証要求情報に基づいて前記リモコン端末の利用内容を前記データベースから検索し、該利用内容に基づいた前記共用端末をリモート制御するための利用画面を前記リモコン端末へ送信し、
前記リモコン端末は、前記共用端末から送信された利用画面を受信して表示し、該表示された利用画面にしたがって前記共用端末をリモート制御することを特徴とするリモート制御システム。
【請求項５】
請求項４に記載のリモート制御システムにおいて、
前記リモコン端末は、前記リモコン端末の識別情報が予め書き込まれたＩＣタグを有し、
前記リーダは、前記ＩＣタグに書き込まれた識別情報を読み取るタグリーダであることを特徴とするリモート制御システム。
【請求項６】
請求項４または請求項５に記載のリモート制御システムにおいて、
前記共用端末は、前記認証要求情報と、前記リーダが設置されている位置と前記共用端末が設置されている位置との間の距離と、前記リモコン端末の利用内容とが対応付けられて予め格納されたデータベースを有し、前記認証要求情報に含まれる前記リーダの識別情報に基づいて、当該リーダが設置されている位置と前記共用端末が設置されている位置との間の距離を取得し、該距離と前記認証要求情報とに基づいて前記リモコン端末の利用内容を前記データベースから検索することを特徴とするリモート制御システム。
【請求項７】
請求項４乃至６のいずれか１項に記載のリモート制御システムにおいて、
前記共用端末は、該共用端末をリモート制御する前記リモコン端末の数を制限することを特徴とするリモート制御システム。
【請求項８】
利用者が共用で利用する共用端末と、該共用端末と無線ネットワークを介して接続されたリモコン端末とを有するリモート制御システムにおいて、
前記リモコン端末は、当該リモコン端末を識別可能な情報を含む認証要求情報を前記共用端末へ送信し、前記共用端末から送信された利用画面を受信して表示し、該表示された利用画面にしたがって前記共用端末をリモート制御し、
前記共用端末は、前記認証要求情報と前記認証要求情報が送信されてきた経路を示す接続経路情報と前記リモコン端末の利用内容とが対応付けられて予め格納されたデータベースを有し、前記認証要求情報と前記認証要求情報が送信されてきた経路を示す接続経路情報とに基づいて前記リモコン端末の利用内容を前記データベースから検索し、該利用内容に基づいた前記共用端末をリモート制御するための利用画面を前記リモコン端末へ送信することを特徴とするリモート制御システム。
【請求項９】
データベースを有する共用端末と、該共用端末と無線ネットワークを介して接続された情報提供端末と、利用者が所持し、前記共用端末及び前記情報提供端末と無線ネットワークを介して接続されたリモコン端末とを有するリモート制御システムにおけるリモート制御方法であって、
前記情報提供端末において、該情報提供端末が設置された位置を識別できる情報を含むコード情報を表示する処理と、
前記リモコン端末において、前記情報提供端末にて表示されたコード情報を読み取る処理と、
前記読み取られたコード情報と当該リモコン端末を識別可能な情報とを含む認証要求情報を前記リモコン端末から前記共用端末へ送信する処理と、
前記共用端末にて、前記認証要求情報を受信し、受信された認証要求情報に基づいて前記リモコン端末の利用内容を前記データベースから検索する処理と、
該利用内容に基づいた前記共用端末をリモート制御するための利用画面を前記リモコン端末へ送信する処理と、
前記共用端末から送信された利用画面を前記リモコン端末にて受信して表示する処理とを有するリモート制御方法。
【請求項１０】
請求項９に記載のリモート制御方法において、
前記共用端末において、該共用端末が設置された位置を識別できる情報を含むコード情報を表示する処理と、
前記リモコン端末において、前記共用端末にて表示されたコード情報と前記情報提供端末にて表示されたコード情報とのいずれか一方のコード情報を読み取る処理と、
該読み取られたコード情報の内容を含む前記認証要求情報を前記リモコン端末から前記共用端末へ送信する処理とを有することを特徴とするリモート制御方法。
【請求項１１】
請求項９または請求項１０に記載のリモート制御方法において、
前記共用端末にて、該共用端末をリモート制御する前記リモコン端末の数を制限する処理を有することを特徴とするリモート制御方法。
【請求項１２】
リモコン端末と、リモコン端末の識別情報を読み取るリーダと、前記リモコン端末及び前記リーダと無線ネットワークを介して接続され、データベースを有する共用端末とを有するリモート制御システムにおけるリモート制御方法であって、
前記リーダにて、前記読み取られた前記リモコン端末の識別情報と前記リーダの識別情報とから認証要求情報を生成する処理と、
該認証要求情報を前記共用端末へ送信する処理と、
前記リーダから送信された認証要求情報を前記共用端末にて受信し、前記認証要求情報に基づいて前記リモコン端末の利用内容を前記データベースから検索する処理と、
該利用内容に基づいた前記共用端末をリモート制御するための利用画面を前記共用端末から前記リモコン端末へ送信する処理と、
前記共用端末から送信された利用画面を前記リモコン端末にて受信して表示する処理とを有するリモート制御方法。
【請求項１３】
請求項１２に記載のリモート制御方法において、
前記共用端末にて、前記認証要求情報に含まれる前記リーダの識別情報に基づいて、当該リーダが設置されている位置と前記共用端末が設置されている位置との間の距離を取得する処理と、
該距離と前記認証要求情報とに基づいて前記リモコン端末の利用内容を前記データベースから検索する処理とを有することを特徴とするリモート制御方法。
【請求項１４】
請求項１２または請求項１３に記載のリモート制御方法において、
前記共用端末にて、該共用端末をリモート制御する前記リモコン端末の数を制限する処理を有することを特徴とするリモート制御方法。
【請求項１５】
データベースを有する共用端末と、該共用端末と無線ネットワークを介して接続されたリモコン端末とを有するリモート制御システムにおけるリモート制御方法であって、
前記リモコン端末から当該リモコン端末を識別可能な情報を含む認証要求情報を前記共用端末へ送信する処理と、
前記共用端末にて、前記認証要求情報と前記認証要求情報が送信されてきた経路を示す接続経路情報とに基づいて前記リモコン端末の利用内容を前記データベースから検索する処理と、
該利用内容に基づいた前記共用端末をリモート制御するための利用画面を前記リモコン端末へ送信する処理と、
前記共用端末から送信された利用画面を前記リモコン端末にて受信して表示する処理とを有するリモート制御方法。
【請求項１６】
コンピュータに、
前記コンピュータをリモート制御するためのリモコン端末を利用する位置に基づいて、前記コンピュータをリモート制御するための利用内容をデータベースから検索する手順と、
該利用内容に応じた利用画面を、前記リモコン端末へ送信する手順とを実行させるためのプログラム。
【請求項１７】
コンピュータに、
前記コンピュータにて受信された、前記コンピュータをリモート制御するためのリモコン端末を識別可能な情報を含む認証要求情報に基づいて、前記コンピュータをリモート制御するための利用内容を、前記認証要求情報と前記リモコン端末の利用内容とが対応付けられてあらかじめ格納されたデータベースから検索する手順と、
該利用内容に応じた利用画面を、前記リモコン端末へ送信する手順とを実行させるためのプログラム。
【請求項１８】
利用者が共用で利用する共用端末であって、
当該共用端末をリモート制御するためのリモコン端末を利用する位置に基づいて、当該共用端末をリモート制御するための利用内容をデータベースから検索するサービス管理部と、
該利用内容に応じた利用画面を生成するサービス実行制御部と、
該利用画面を前記リモコン端末へ送信する通信部とを有する共用端末。
【請求項１９】
請求項１８に記載の共用端末において、
前記サービス管理部は、当該共用端末にて受信された、前記リモコン端末を識別可能な情報を含む認証要求情報に基づいて、前記利用内容を、前記認証要求情報と前記リモコン端末の利用内容とが対応付けられてあらかじめ格納されたデータベースから検索することを特徴とする共用端末。
【請求項２０】
利用者が共用で利用する共用端末を制御する制御方法であって、
前記共用端末をリモート制御するためのリモコン端末を利用する位置に基づいて、前記共用端末をリモート制御するための利用内容をデータベースから検索する処理と、
該利用内容に応じた利用画面を、前記リモコン端末へ送信する処理とを有する制御方法。
【請求項２１】
利用者が共用で利用する共用端末を制御する制御方法であって、
前記共用端末にて受信された、前記共用端末をリモート制御するためのリモコン端末を識別可能な情報を含む認証要求情報に基づいて、前記共用端末をリモート制御するための利用内容を、前記認証要求情報と前記リモコン端末の利用内容とが対応付けられてあらかじめ格納されたデータベースから検索する処理と、
該利用内容に応じた利用画面を、前記リモコン端末へ送信する処理とを有する制御方法。
【発明の詳細な説明】
【技術分野】
【０００１】
本発明は、利用者が共有で利用できる共用端末を制御するリモート制御システム、リモート制御方法及びリモート制御プログラムに関する。
【背景技術】
【０００２】
近年、オフィスや学校等で行われる会議等には、積極的にＩＴ（Information Technology）機器が導入されている。それにより、会議に使用される資料をプロジェクターで投影しながらプレゼンターが当該資料の説明を行うというスタイルから、コンピュータを中心とした情報機器と通信可能な電子情報ボード上に当該資料を表示しながらプレゼンターがボード上の画面を操作して説明するというスタイルに移行し始めている。
【０００３】
電子情報ボードとは、ボード上（板面）にコンピュータ画面を表示し、付属のマーカーや指でその画面操作を行うことができる装置である。具体的には、ホワイトボード型の電子情報ボードとプロジェクターとコンピュータとを組み合わせて、コンピュータの画面を、プロジェクターを介して電子情報ボードに投影するタイプや、プラズマディスプレイ型の電子情報ボードとコンピュータとを組み合わせて、コンピュータの画面を直接電子情報ボードに表示するタイプがある。コンピュータは、ネットワークに接続可能で、当該コンピュータをリモートにより制御することも可能である。
【０００４】
一般的に、電子情報ボードのような利用者を限定しない共用端末については、オフィスや学校等のミーティングスペースやフリースペースに設置され、誰でも自由に利用できる場合が多い。そのため、特定の利用者のみに限定して公開するサービスを共用端末にて提供する場合、当該サービスを利用されたくない利用者によっても利用される可能性があり、それにより、共用端末における不要なリソースが使用されてしまう。ここで、利用者を限定しない共用端末上で提供するサービスは、共用端末の利用を許可されたすべての利用者が利用できるサービスに限らず、特定の利用者または複数人からなるグループメンバが利用できるサービスも含まれる。「サービス」とはプログラムを実行するアプリケーションや情報を提供するツールを想定する。
【０００５】
そこで、各利用者がアクセス可能なサービスを当該利用者のユーザＩＤ等の識別情報を参照して自動的に選出することにより、利用できないサービスへのアクセスを防ぐこと方法が考えられている（例えば、特許文献１，２参照。）。
【０００６】
また、プレゼンターが電子情報ボード上の表示画面を指し示して説明する際に、プレゼンターが電子情報ボードの前を横切って移動することがよくあるが、このときに聴講者の視界をさえぎってしまう。
【０００７】
そこで、プレゼンターがディスプレイの前を移動しなくても表示画面を指し示して説明できるように、プレゼンターが電子情報ボードから離れた場所から、電子情報ボードの表示画面を制御することが可能なリモコン端末を使って、表示画面中に矢印等を表示させる方法が考えられている（例えば、特許文献３参照。）。
【０００８】
また、移動端末の位置情報に基づいて、当該位置に適したサービスが提供される方法が考えられている（例えば、特許文献４参照。）。
【特許文献１】特開２００３−２３３５８６号公報
【特許文献２】特開２００３−１１０５５１号公報
【特許文献３】特開平１０−２８３１０３号公報
【特許文献４】特開２００１−２２４０５５号公報
【発明の開示】
【発明が解決しようとする課題】
【０００９】
ここで、電子情報ボードを含む共用端末をリモコン端末で制御する場合に、リモコン端末の使い方は一通りとは限らず、特に共用端末を複数人で利用する場合は、利用者ごとに使い方が異なることが考えられる。
【００１０】
例えば、オフィスの会議室に設置された電子情報ボードを用いて、複数人の聴講者を相手に、１人のプレゼンターがプレゼンテーションを行う場合を例に挙げる。プレゼンターは電子情報ボードに近い場所に立ち、リモコン端末を使って、電子情報ボードに表示された講義資料のページを遷移するなどの操作を行いながらプレゼンテーションを進行する。一方、聴講者は電子情報ボードから離れた場所にて講義資料を眺め、リモコン端末に講義資料のハンドアウト画面を表示して質問箇所をマーキングするといった使い方ができる。
【００１１】
つまり、利用者がリモコン端末を操作する場所によって、リモコン端末の役割が異なることが考えられる。しかし、各利用者に使い方（用途の種類）をそれぞれ指定させることは煩雑であり、間違った使い方を選択してしまう可能性がある。
【００１２】
そこで、共用端末の利用者が、リモコン端末をどのような用途で利用するかといったことを気にしなくても、共用端末を利用する場所にてリモコン端末を所持するだけで、適切な利用内容に基づいてリモコン端末を活用できる仕組みが求められる。
【００１３】
しかしながら、特許文献１及び特許文献２には、ユーザ情報に基づいて各利用者へのサービス機能の提供を制限する方法が開示されているが、利用者がどこにいても同じ使い方しかできないという問題点がある。また、共用端末を複数人で利用することが考慮されていないため、１つのサービスにおいて複数の使い方を提供することができないという問題点がある。
【００１４】
また、会議室または電子情報ボードに備え付けの小型端末を、電子情報ボードを操作可能なリモコン端末として利用する場合に、1つの会議室または１台の電子情報ボードにつき、1台のリモコン端末が付属しているのが一般的である。それゆえに、複数人からなる会議で電子情報ボードを使用する場合に、複数人のユーザ間で1台のリモコン端末を貸し借りするのは煩雑である。また、リモコン端末が1台しかないと、物理的に異なる場所（ネットワーク経由で別の部屋から会議に参加している等）ではリモコン端末を入手できない。これは、複数のリモコン端末を用意することにより、電子情報ボードを操作したいときにスムーズに操作することができるようになる。しかし、複数人がいつでも自由なタイミングで電子情報ボードをリモート操作できてしまうと、プレゼンターが電子情報ボードを使って操作している最中に、他のユーザに操作を妨害されてしまうことがある。
【００１５】
そこで、共用端末に複数台のリモコン端末を付属するのは一般的でないため、各ユーザが所持している携帯電話などをリモコン端末として活用でき、さらに、必要に応じて、リモコン端末からの操作の実行可否を制御する仕組みが求められる。
【００１６】
しかしながら、特許文献３に記載された方法においては、リモコン端末が複数台あるときに、適切に実行可否を判断することはできないという問題点がある。
【００１７】
また、特許文献４に記載された方法においては、同一の位置情報を持つ複数の移動端末へ同じサービスを提供するため、サービスを提供したくない移動端末に対してもサービスを提供してしまうという問題点がある。また、提供するサービスが、広告や案内といった移動端末への一方向型のサービスであり、移動端末からの制御ができないという問題点がある。
【００１８】
本発明は、上述したような従来の技術が有する問題点に鑑みてなされたものであって、利用者が共有で利用できる共用端末を、利用者が利用する場所に応じてリモート制御できるリモート制御システム、リモート制御方法及びリモート制御プログラムを提供することを目的とする。
【課題を解決するための手段】
【００１９】
上記目的を達成するために本発明は、
利用者が共用で利用する共用端末と、該共用端末と無線ネットワークを介して接続された情報提供端末と、利用者が所持し、前記共用端末及び前記情報提供端末と無線ネットワークを介して接続されたリモコン端末とを有するリモート制御システムにおいて、
前記共用端末は、前記リモコン端末を識別可能な情報を含む認証要求情報と前記リモコン端末の利用内容とが対応付けられて予め格納されたデータベースを有し、前記リモコン端末から送信された認証要求情報を受信し、受信された認証要求情報に基づいて前記リモコン端末の利用内容を前記データベースから検索し、該利用内容に基づいた前記共用端末をリモート制御するための利用画面を前記リモコン端末へ送信し、
前記情報提供端末は、該情報提供端末が設置された位置を識別できる情報を含むコード情報を表示し、
前記リモコン端末は、前記情報提供端末にて表示されたコード情報を読み取り、該コード情報の内容を含む前記認証要求情報を前記共用端末へ送信し、前記共用端末から送信された利用画面を受信して表示し、該表示された利用画面にしたがって前記共用端末をリモート制御することを特徴とする。
【００２０】
また、前記共用端末は、該共用端末が設置された位置を識別できる情報を含むコード情報を表示し、
前記リモコン端末は、前記共用端末にて表示されたコード情報と前記情報提供端末にて表示されたコード情報とのいずれか一方のコード情報を読み取り、該読み取ったコード情報の内容を含む前記認証要求情報を前記共用端末へ送信することを特徴とする。
【００２１】
また、前記共用端末は、該共用端末をリモート制御する前記リモコン端末の数を制限することを特徴とする。
【００２３】
また、リモコン端末と、リモコン端末の識別情報を読み取るリーダと、前記リモコン端末及び前記リーダと無線ネットワークを介して接続された共用端末とを有するリモート制御システムにおいて、
前記リーダは、前記読み取られた前記リモコン端末の識別情報と前記リーダの識別情報とから認証要求情報を生成し、該認証要求情報を前記共用端末へ送信し、
前記共用端末は、前記認証要求情報と前記リモコン端末の利用内容とが対応付けられて予め格納されたデータベースを有し、前記リーダから送信された認証要求情報を受信し、前記認証要求情報に基づいて前記リモコン端末の利用内容を前記データベースから検索し、該利用内容に基づいた前記共用端末をリモート制御するための利用画面を前記リモコン端末へ送信し、
前記リモコン端末は、前記共用端末から送信された利用画面を受信して表示し、該表示された利用画面にしたがって前記共用端末をリモート制御することを特徴とする。
【００２４】
また、前記リモコン端末は、前記リモコン端末の識別情報が予め書き込まれたＩＣタグを有し、
前記リーダは、前記ＩＣタグに書き込まれた識別情報を読み取るタグリーダであることを特徴とする。
【００２５】
また、前記共用端末は、前記認証要求情報と、前記リーダが設置されている位置と前記共用端末が設置されている位置との間の距離と、前記リモコン端末の利用内容とが対応付けられて予め格納されたデータベースを有し、前記認証要求情報に含まれる前記リーダの識別情報に基づいて、当該リーダが設置されている位置と前記共用端末が設置されている位置との間の距離を取得し、該距離と前記認証要求情報とに基づいて前記リモコン端末の利用内容を前記データベースから検索することを特徴とする。
【００２６】
また、前記共用端末は、該共用端末をリモート制御する前記リモコン端末の数を制限することを特徴とする。
【００２８】
また、利用者が共用で利用する共用端末と、該共用端末と無線ネットワークを介して接続されたリモコン端末とを有するリモート制御システムにおいて、
前記リモコン端末は、当該リモコン端末を識別可能な情報を含む認証要求情報を前記共用端末へ送信し、前記共用端末から送信された利用画面を受信して表示し、該表示された利用画面にしたがって前記共用端末をリモート制御し、
前記共用端末は、前記認証要求情報と前記認証要求情報が送信されてきた経路を示す接続経路情報と前記リモコン端末の利用内容とが対応付けられて予め格納されたデータベースを有し、前記認証要求情報と前記認証要求情報が送信されてきた経路を示す接続経路情報とに基づいて前記リモコン端末の利用内容を前記データベースから検索し、該利用内容に基づいた前記共用端末をリモート制御するための利用画面を前記リモコン端末へ送信することを特徴とする。
【００２９】
また、データベースを有する共用端末と、該共用端末と無線ネットワークを介して接続された情報提供端末と、利用者が所持し、前記共用端末及び前記情報提供端末と無線ネットワークを介して接続されたリモコン端末とを有するリモート制御システムにおけるリモート制御方法であって、
前記情報提供端末において、該情報提供端末が設置された位置を識別できる情報を含むコード情報を表示する処理と、
前記リモコン端末において、前記情報提供端末にて表示されたコード情報を読み取る処理と、
前記読み取られたコード情報と当該リモコン端末を識別可能な情報とを含む認証要求情報を前記リモコン端末から前記共用端末へ送信する処理と、
前記共用端末にて、前記認証要求情報を受信し、受信された認証要求情報に基づいて前記リモコン端末の利用内容を前記データベースから検索する処理と、
該利用内容に基づいた前記共用端末をリモート制御するための利用画面を前記リモコン端末へ送信する処理と、
前記共用端末から送信された利用画面を前記リモコン端末にて受信して表示する処理とを有する。
【００３０】
また、前記共用端末において、該共用端末が設置された位置を識別できる情報を含むコード情報を表示する処理と、
前記リモコン端末において、前記共用端末にて表示されたコード情報と前記情報提供端末にて表示されたコード情報とのいずれか一方のコード情報を読み取る処理と、
該読み取られたコード情報の内容を含む前記認証要求情報を前記リモコン端末から前記共用端末へ送信する処理とを有することを特徴とする。
【００３１】
また、前記共用端末にて、該共用端末をリモート制御する前記リモコン端末の数を制限する処理を有することを特徴とする。
【００３３】
また、リモコン端末と、リモコン端末の識別情報を読み取るリーダと、前記リモコン端末及び前記リーダと無線ネットワークを介して接続され、データベースを有する共用端末とを有するリモート制御システムにおけるリモート制御方法であって、
前記リーダにて、前記読み取られた前記リモコン端末の識別情報と前記リーダの識別情報とから認証要求情報を生成する処理と、
該認証要求情報を前記共用端末へ送信する処理と、
前記リーダから送信された認証要求情報を前記共用端末にて受信し、前記認証要求情報に基づいて前記リモコン端末の利用内容を前記データベースから検索する処理と、
該利用内容に基づいた前記共用端末をリモート制御するための利用画面を前記共用端末から前記リモコン端末へ送信する処理と、
前記共用端末から送信された利用画面を前記リモコン端末にて受信して表示する処理とを有する。
【００３４】
また、前記共用端末にて、前記認証要求情報に含まれる前記リーダの識別情報に基づいて、当該リーダが設置されている位置と前記共用端末が設置されている位置との間の距離を取得する処理と、
該距離と前記認証要求情報とに基づいて前記リモコン端末の利用内容を前記データベースから検索する処理とを有することを特徴とする。
【００３５】
また、前記共用端末にて、該共用端末をリモート制御する前記リモコン端末の数を制限する処理を有することを特徴とする。
【００３７】
また、データベースを有する共用端末と、該共用端末と無線ネットワークを介して接続されたリモコン端末とを有するリモート制御システムにおけるリモート制御方法であって、
前記リモコン端末から当該リモコン端末を識別可能な情報を含む認証要求情報を前記共用端末へ送信する処理と、
前記共用端末にて、前記認証要求情報と前記認証要求情報が送信されてきた経路を示す接続経路情報とに基づいて前記リモコン端末の利用内容を前記データベースから検索する処理と、
該利用内容に基づいた前記共用端末をリモート制御するための利用画面を前記リモコン端末へ送信する処理と、
前記共用端末から送信された利用画面を前記リモコン端末にて受信して表示する処理とを有する。
また、コンピュータに実行させるためのプログラムであって、
前記コンピュータをリモート制御するためのリモコン端末を利用する位置に基づいて、前記コンピュータをリモート制御するための利用内容をデータベースから検索する手順と、
該利用内容に応じた利用画面を、前記リモコン端末へ送信する手順とを実行させる。
また、コンピュータに実行させるためのプログラムであって、
前記コンピュータにて受信された、前記コンピュータをリモート制御するためのリモコン端末を識別可能な情報を含む認証要求情報に基づいて、前記コンピュータをリモート制御するための利用内容を、前記認証要求情報と前記リモコン端末の利用内容とが対応付けられてあらかじめ格納されたデータベースから検索する手順と、
該利用内容に応じた利用画面を、前記リモコン端末へ送信する手順とを実行させる。
また、利用者が共用で利用する共用端末であって、
当該共用端末をリモート制御するためのリモコン端末を利用する位置に基づいて、当該共用端末をリモート制御するための利用内容をデータベースから検索するサービス管理部と、
該利用内容に応じた利用画面を生成するサービス実行制御部と、
該利用画面を前記リモコン端末へ送信する通信部とを有する。
また、利用者が共用で利用する共用端末を制御する制御方法であって、
前記共用端末をリモート制御するためのリモコン端末を利用する位置に基づいて、前記共用端末をリモート制御するための利用内容をデータベースから検索する処理と、
該利用内容に応じた利用画面を、前記リモコン端末へ送信する処理とを有する。
また、利用者が共用で利用する共用端末を制御する制御方法であって、
前記共用端末にて受信された、前記共用端末をリモート制御するためのリモコン端末を識別可能な情報を含む認証要求情報に基づいて、前記共用端末をリモート制御するための利用内容を、前記認証要求情報と前記リモコン端末の利用内容とが対応付けられてあらかじめ格納されたデータベースから検索する処理と、
該利用内容に応じた利用画面を、前記リモコン端末へ送信する処理とを有する。
【００３８】
上記のように構成された本発明においては、情報提供端末にて当該情報提供端末が設置された位置を識別できる情報を含むコード情報が表示され、表示されたコード情報がリモコン端末によって読み込まれ、リモコン端末にて読み込まれたコード情報を含む認証要求情報がリモコン端末から共用端末へ送信され、送信された認証要求情報が共用端末にて受信され、受信された認証要求情報に基づいてリモコン端末の利用内容が検索され、検索された利用内容に基づいた共用端末をリモート制御するための利用画面がリモコン端末へ送信され、共用端末から送信された利用画面がリモコン端末にて受信されて表示される。
【００３９】
このように、共用端末をリモート制御するためのリモコン端末を所持している利用者の情報に基づいてそれぞれ異なる利用内容が検索され、その利用内容に基づいた利用画面が共用端末からリモコン端末へ送信される。そして、リモコン端末にて受信されて表示された利用画面にしたがって、利用者が共用端末をリモート制御するため、利用者が利用する場所に応じてそれぞれ異なった方法で共用端末をリモート制御することができる。
【発明の効果】
【００４０】
以上説明したように本発明においては、情報提供端末にて当該情報提供端末が設置された位置を識別できる情報を含むコード情報を表示し、表示されたコード情報をリモコン端末によって読み込み、リモコン端末にて読み込まれたコード情報を含む認証要求情報をリモコン端末から共用端末へ送信し、送信された認証要求情報を共用端末にて受信し、受信された認証要求情報に基づいてリモコン端末の利用内容を検索し、検索された利用内容に基づいた共用端末をリモート制御するための利用画面をリモコン端末へ送信し、共用端末から送信された利用画面をリモコン端末にて受信されて表示する構成としたため、利用者が共有で利用できる共用端末を、利用者が利用する場所に応じてリモート制御できる。
【発明を実施するための最良の形態】
【００４１】
以下に、本発明の実施の形態について図面を参照して説明する。
【００４２】
（第１の実施の形態）
第１の実施の形態として、共用端末であるセミナー設備（パーソナルコンピュータ）を使用してセミナーを行う場合の形態を例に挙げて説明する。
【００４３】
図１は、本発明のリモート制御システムの第１の実施の形態を示す図である。
【００４４】
図１に示すように本形態は、共用端末１００と、共用端末１００と無線ネットワーク１３０を介して接続されている情報提供端末１１０と、共用端末１００と無線ネットワーク１３０を介して接続されているリモコン端末１２０とから構成されている。さらに、共用端末１００は、リモコン端末１２０の認証を行うリモコン端末認証部１０１と、リモコン端末１２０に供給するサービスを管理するサービス管理部１０５と、リモコン端末１２０に応じたサービスの実行を制御するサービス実行制御部１０２と、実行されたサービスの状況を画面に表示する画面表示部１０３と、無線ネットワーク１３０を介して情報提供端末１１０及びリモコン端末１２０と通信を行う通信部１０４とから構成されている。また、情報提供端末１１０は、情報提供端末１１０のコード情報を生成するサービス実行制御部１１１と、サービス実行制御部１１１によって生成されたコード情報を表示する画面表示部１１３と、無線ネットワーク１３０を介して共用端末１００及びリモコン端末１２０と通信を行う通信部１１２とから構成されている。ここでのコード情報の詳細については後述する。また、リモコン端末１２０は、画面表示部１０３または画面表示部１１３に表示された情報を読み取る情報読取部１２５と、リモコン端末１２０を所持する利用者がリモコン端末１２０を操作するための内容を入力する入力部１２１と、共用端末１００に対してサービスを要求してその結果を受け取るサービス要求処理部１２２と、サービス要求処理部１２２にて受け取った結果を表示する画面表示部１２３と、無線ネットワーク１３０を介して共用端末１００及び情報提供端末１１０と通信を行う通信部１２４とから構成されている。
【００４５】
共用端末１００は、セミナー会場の壇上に設置されており、また、情報提供端末１１０は、セミナー会場の入り口付近に設置されており、また、リモコン端末１２０は、セミナーの講師及び受講者が所持する携帯電話とする。また、画面表示部１０３は、共用端末１００の外部にディスプレイケーブルによって接続されているものであっても良い。また同様に、画面表示部１１３は、情報提供端末１１０の外部にディスプレイケーブルによって接続されているものであっても良い。また、リモコン端末認証部１０１は、共用端末１００をリモート制御できる利用者のユーザＩＤを含むユーザ情報を共用端末１００が備えるディスク（不図示）やメモリ（不図示）等の記録媒体に記録する。また、サービス管理部１０５は、共用端末１００が提供可能なサービス情報、及び本システムで運用する各端末の役割とサービス内容と共用端末１００を操作するための権限情報とを対応付けて運用情報として共用端末１００が備えるディスク（不図示）やメモリ（不図示）等の記録媒体に記録する。また、入力部１２１は、携帯電話に装備される物理的な操作用のボタンであっても良いし、画面表示部１２３に表示された仮想的なボタンであっても良い。画面表示部１２３は、リモコン端末１２０に装備される小型の液晶ディスプレイとする。また、無線ネットワーク１３０には、無線のアクセスポイント（不図示）が介在し、情報提供端末１１０、またはリモコン端末１２０が共用端末１００とデータの送受信を行うときは、当該アクセスポイントを経由する。また、共用端末１００、情報提供端末１１０及びリモコン端末１２０にて動作する各プログラムやデータベースは、物理的にそれぞれの端末が備えるハードディスク（不図示）に格納されており、必要に応じてそれぞれの端末が備えるＣＰＵ（不図示）によってメモリ（不図示）上に転送されて実行されることを想定している。また、情報読取部１２５は、携帯電話に付属されているカメラであっても良い。
【００４６】
以下に、上記のように構成されたリモート制御システムにおけるリモート制御方法について説明する。
【００４７】
まずは、セミナーの講師が共用端末１００を制御するリモート制御方法について説明する。
【００４８】
図２は、図１に示したリモート制御システムにおいて、セミナーの講師が共用端末１００を制御するリモート制御方法を説明するためのフローチャートである。
【００４９】
まず、共用端末１００が起動すると、共用端末１００の画面表示部１０３にコード情報が表示される（ステップＳ１）。このコード情報とは、共用端末１００が設置されている位置を識別するための共用端末１００の識別子（端末ＩＤ）を含む二次元コードである。なお、共用端末１００を識別するための識別子を含むことが可能なデータ構造を持つ形式であれば、二次元コードに限らない。具体的には、二次元コードに、共用端末１００によって起動しているＷｅｂサーバ（不図示）へアクセスするためのＵＲＬが含まれている。そして、当該ＵＲＬにアクセスが行われることにより、サービス実行制御部１０２における処理が開始されるように動作する。このコード情報にはタイムスタンプも含まれ、定期的に更新される。また、ここでは、共用端末１００の端末ＩＤを「２００００００１」とする。
【００５０】
セミナーの講師によってリモコン端末１２０の入力部１２１が操作され、情報読取部１２５を用いて、画面表示部１０３に表示されているコード情報が読み取られると（ステップＳ２）、リモコン端末１２０のサービス要求処理部１２２によって、共用端末１００を利用するためにリモコン端末１２０の利用者を証明するための証明情報を含む認証要求情報が通信部１２４を介して共用端末１００へ送信される（ステップＳ３）。この認証要求情報には、コード情報に含まれている共用端末１００の識別子、タイムスタンプ及びリモコン端末１２０の証明情報が含まれている。証明情報は、ユーザＩＤを含んだリモコン端末認証部１０１にて生成されたデータであり、リモコン端末１２０にて事前に取得しておく。また、証明情報は、共用端末１００の他の手段によって生成されたものであっても良いし、他の証明情報を発行する装置によって発行されたものであっても良い。
【００５１】
ステップＳ２にて、リモコン端末１２０から無線ネットワーク１３０を介して共用端末１００へ認証要求情報が送信されると、送信された認証要求情報は共用端末１００の通信部１０４を介してリモコン端末認証部１０１にて受信される（ステップＳ４）。
【００５２】
認証要求情報が受信されると、リモコン端末認証部１０１にて、受信された認証要求情報に含まれるタイムスタンプの値と現在の時刻との差分時間が、認証許容時間の範囲内であるかどうかが判断される（ステップＳ５）。ここで、認証許容時間は、リモコン端末認証部１０１に予め設定された数値データである。そして例えば、認証許容時間が「６０分」と設定されている場合、タイムスタンプの値と現在の時刻との差分時間が６０分以内であれば認証要求は受け付けられるが、６０分を超えているときは認証要求は受け付けられない。
【００５３】
タイムスタンプの値と現在の時刻との差分時間が、認証許容時間の範囲内であると判断された場合、受信された認証要求情報に含まれる証明情報からユーザＩＤが抽出される。抽出されたユーザＩＤと共用端末１００内の記録媒体に予め記録されているユーザ情報に含まれるユーザＩＤとがリモコン端末認証部１０１にて比較される（ステップＳ６）。
【００５４】
図３は、本形態にてハードディスク等に格納されているデータベースの一構成例を示す図であり、図３（ａ）は、図１に示したリモコン端末認証部１０１によって利用されるために格納されているユーザ情報の一構成例を示す図であり、図３（ｂ）は、図１に示したサービス管理部１０５によって利用されるために格納されているサービス情報の一構成例を示す図であり、図３（ｃ）は、図１に示したサービス管理部１０５によって利用されるために格納されている運用情報の一構成例を示す図である。
【００５５】
図３に示した各情報は、システム運用者などが共用端末１００のハードディスク等に予め格納しておく必要がある。
【００５６】
図３（ａ）に示すようにユーザ情報には、ユーザを識別するためのユーザＩＤ３００と、当該ユーザのユーザ名３０１と、当該ユーザが属する所属グループ名３０２とが対応付けられて格納されている。
【００５７】
図３（ｂ）に示すようにサービス情報には、サービスを識別するためのサービスＩＤ３１０と、当該サービスのサービス名３１１と、当該サービスを利用可能な１つ以上の所属グループを示す利用グループ名３１２とが対応付けられて格納されている。
【００５８】
図３（ｃ）に示すように運用情報には、共用端末１００および共用端末１００と連携する端末を識別するための端末ＩＤ３２０と、当該端末の設置場所情報３２１と、当該端末が指定された設置場所に設置された場合に利用可能なサービスを識別するためのサービスＩＤ３２２と、当該サービスの詳細情報であるサービス詳細ＩＤ３２３と、当該サービス詳細ＩＤ３２３に割り当てられた利用内容における操作の権限初期値３２４とが対応付けられて格納されている。ここで、権限初期値３２４の「ＡＬＬＯＷ」は操作権利を有することを示し、「ＤＥＮＹ」は操作権利が無いことを示す。なお、権限初期値３２４の入力データは、ユーザＩＤ３００や所属グループ名３０２ごとに権限を設定できるように条件式を指定しても良い。
【００５９】
証明情報から抽出されたユーザＩＤと同一のユーザＩＤが、図３（ａ）に示したユーザＩＤ３００中にあるかどうかが、リモコン端末認証部１０１によって検索される。同一のユーザＩＤがある場合、当該ユーザＩＤ３００に対応付けられた所属グループ名３０２と同一のグループ名が、利用グループ名３１２中にあるかどうかが、サービス管理部１０５によって検索される。
【００６０】
例えば、ユーザＩＤ３００が「０００００１２３」であるユーザ名３０１が「山田太郎」さんの認証要求が行われたとする。図３（ａ）に示すように、「山田太郎」さんの所属グループ３０２は「営業一課」であることがわかる。そして、その所属グループ名「営業一課」が、図３（ｂ）に示したサービス情報の利用グループ名３１２中にあるかどうかが検索される。その所属グループ名「営業一課」が、図３（ｂ）に示したサービス情報の利用グループ名３１２中にある場合、当該利用グループ名３１２に対応付けられたサービス名３１１とサービスＩＤ３１０とが取得される。この場合、サービス名３１１は「セミナー」であり、サービスＩＤ３１０は「１００００００１」であることが取得される。さらに、取得されたサービスＩＤ「１００００００１」と、認証要求情報に含まれる共用端末１００の識別子である端末ＩＤ「２００００００１」とのセットが、図３（ｃ）に示した運用情報のサービスＩＤ３２２と、端末ＩＤ３２０との中にあるかどうかが検索される。サービスＩＤ「１００００００１」と、端末ＩＤ「２００００００１」とのセットが、図３（ｃ）に示した運用情報のサービスＩＤ３２２と、端末ＩＤ３２０との中にある場合、当該セットに対応付けられたサービス詳細ＩＤ３２３が取得される。この場合、サービス詳細ＩＤ３２３は「０００１」であることが取得され、取得されたサービス詳細ＩＤに対応付けられた権限初期値３２４が「ＡＬＬＯＷ」であることからその権限を有することが認識される。こうして、利用内容が検索される（ステップＳ７）。
【００６１】
サービス管理部１０５によって、サービス詳細ＩＤ３２３が取得されると、取得されたサービス詳細ＩＤ３２３に基づいてサービス実行制御部１０２によってサービスの利用画面が生成され、通信部１０４から無線ネットワーク１３０を介してリモコン端末１２０へ送信される（ステップＳ８）。ここで生成されるサービスの利用画面は、当該サービスの利用内容に応じた操作権限を考慮した利用画面データである。具体的には、共用端末１００を操作する権限を持つユーザ向けには、サービスの操作ツールを含む画面が生成され、また、共用端末１００を操作する権限を持たないユーザ向けには、サービスの操作ツールを含まない画面が生成される。
【００６２】
また、このとき、サービス実行制御部１０２によって、サービス詳細ＩＤ３２３に基づいてサービスの共有画面が画面表示部１０３へ出力され、画面表示部１０３にて表示される。また、サービス実行制御部１０２によって、そのサービスが終了するまで、当該サービスを利用しているユーザのユーザＩＤとその操作権限とが対応付けられて権限情報として保持される。具体的には、図３（ｃ）に示した運用情報の権限初期値３２４の値が更新されて保持される。
【００６３】
一方、ステップＳ５において、認証要求情報に含まれるタイムスタンプの値と現在の時刻との差分時間が、認証許容時間の範囲内でないと判断された場合、サービス実行制御部１０２によって、使用が許可できない旨を表す認証結果の画面が生成され、通信部１０４から無線ネットワーク１３０を介してリモコン端末１２０へ送信される（ステップＳ９）。
【００６４】
また、ステップＳ６において、証明情報から抽出されたユーザＩＤと同一のユーザＩＤが、図３（ａ）に示したユーザＩＤ３００中にないと判断された場合、サービス実行制御部１０２によって、使用が許可できない旨を表す認証結果の画面が生成され、通信部１０４から無線ネットワーク１３０を介してリモコン端末１２０へ送信される（ステップＳ９）。
【００６５】
また、ステップＳ９にてリモコン端末１２０へ送信される画面は、画面表示部１０３にて認証処理結果として表示されても良い。
【００６６】
また、ステップＳ７において、ユーザが利用できるサービスが複数個取得された場合、そのサービスのリストが生成され、生成されたリストがリモコン端末１２０へ送信されても良い。そのとき、当該リストが画面表示部１０３に表示されても良い。
【００６７】
ステップＳ８において、サービスの利用画面が共用端末１００から無線ネットワーク１３０を介してリモコン端末１２０へ送信されると、リモコン端末１２０の通信部１２４にて受信される（ステップＳ１０）。受信された利用画面は画面表示部１２３にて画面表示される（ステップＳ１１）。例えば、利用画面のデータがＨＴＭＬコンテンツである場合は、ブラウザ機能を持つアプリケーションを用いて、そのアプリケーション画面が表示される。また、そのアプリケーション画面には、共用端末１００を操作するためのユーザインタフェースが含まれ、ユーザが入力部１２１を操作することによって、共用端末１００のリモート操作が実行される。なお、操作を実行する手段は、リモコン端末１２０の数字ボタン等のキーでも良い。
【００６８】
リモコン端末１２０の画面表示部１２３にて利用画面が表示され、セミナーの講師が共用端末１００をリモート操作するために、画面表示部１２０に表示されたアプリケーション画面にて、操作情報、サービスＩＤ及びユーザＩＤを含む共用端末操作要求情報を入力すると、入力された共用端末操作要求情報がサービス要求処理部１２２から通信部１２４を介して共用端末１００へ送信される（ステップＳ１２）。ここで、サービスＩＤ及びユーザＩＤは、共用端末１００から送信されてリモコン端末１２０にて受信された利用画面に含まれているものとする。
【００６９】
リモコン端末１２０から送信された共用端末操作要求情報は、無線ネットワーク１３０を介して共用端末１００にて受信される（ステップＳ１３）。共用端末１００にて受信された共用端末操作要求情報は、通信部１０４を介してサービス実行制御部１０３にて受信される。
【００７０】
そして、サービス実行制御部１０３によって受信された共用端末操作要求情報内のサービスＩＤ及びユーザＩＤを検索キーとして、当該リモコン端末１２０が利用する権限があるかどうかが、保持されている権限情報から検索される（ステップＳ１４）。
【００７１】
受信された共用端末操作要求情報内のサービスＩＤ及びユーザＩＤが保持されている権限情報にある場合、共用端末操作要求情報に含まれる操作情報が、操作権を変更するための情報か、または共用端末１００の画面表示部１０３を操作するための情報かが判断される（ステップＳ１５）。リモコン端末１２０の画面表示部１２３に操作権を変更可能なユーザインタフェースを提供し、このユーザインタフェースを用いて、当該ユーザが、他のユーザに操作権を委譲したり、自分以外の全ユーザに操作権を解放したりすることができる。操作権変更のユーザインタフェースは、基本的には操作権を有するユーザが使用するリモコン端末１２０の画面表示部１２３に表示され、また操作権を持たないユーザが使用するリモコン端末１２０の画面表示部１２３には表示されない。操作情報が操作権を変更するための情報であると判断された場合は、サービス実行制御部１０２によって、共用端末操作要求情報に含まれる操作情報、サービスＩＤ及びユーザＩＤに基づいて、操作情報の操作権が変更され、権限情報のデータが更新される。（ステップＳ１６）。
【００７２】
一方、操作情報が共用端末１００の画面表示部１０３を操作するための情報であると判断された場合は、サービス実行制御部１０２によって、共用端末操作要求情報に含まれる操作情報に基づいて、共用端末１００の画面表示部１０３に表示されている画面が操作される。具体的には、操作情報にはサービスアプリケーションの実行コマンドが含まれており、サービス実行制御部１０２によって当該コマンドが実行される（ステップＳ１７）。
【００７３】
また、ステップＳ１４において、受信された共用端末操作要求情報内のサービスＩＤ及びユーザＩＤが保持されている権限情報にない場合、サービス実行制御部１０２によって、実行中のサービスに対する操作権を持たないユーザから共用端末操作要求情報が送信されてきたと判断され、利用を許可しない旨を表す認証結果の画面が生成され、通信部１０４から無線ネットワーク１３０を介してリモコン端末１２０へ送信される。（ステップＳ９）。
【００７４】
そして、共用端末１００から送信された認証結果の画面が、リモコン端末１２０の通信部１２４にて受信され（ステップＳ１８）、画面表示部１２３に表示される（ステップＳ１９）。
【００７５】
次に、セミナーの聴講者が共用端末１００を制御するリモート制御方法について説明する。
【００７６】
図４は、図１に示したリモート制御システムにおいて、セミナーの聴講者が共用端末１００を制御するリモート制御方法を説明するためのフローチャートである。
【００７７】
まず、情報提供端末１１０が起動すると、情報提供端末１１０の画面表示部１１３にコード情報が表示される（ステップＳ２１）。このコード情報とは、サービス実行制御部１１１にて生成された情報提供端末１１０が設置されている位置を識別するための情報提供端末１１０の識別子（端末ＩＤ）を含む二次元コードである。なお、情報提供端末１１０を識別するための識別子を含むことが可能なデータ構造を持つ形式であれば、二次元コードに限らない。具体的には、二次元コードに、共用端末１００によって起動しているＷｅｂサーバ（不図示）へアクセスするためのＵＲＬが含まれている。そして、当該ＵＲＬにアクセスが行われることにより、サービス実行制御部１０２における処理が開始されるように動作する。このコード情報にはタイムスタンプも含まれ、定期的に更新される。また、ここでは、情報提供端末１１０の端末ＩＤを「２００００００２」とする。
【００７８】
セミナーの聴講者によってリモコン端末１２０の入力部１２１が操作され、情報読取部１２５を用いて、画面表示部１１３に表示されているコード情報が読み取られると（ステップＳ２２）、リモコン端末１２０のサービス要求処理部１２２によって、共用端末１００を利用するためにリモコン端末１２０の利用者を証明するための証明情報を含む認証要求情報が通信部１２４を介して共用端末１００へ送信される（ステップＳ２３）。この認証要求情報には、コード情報に含まれている情報提供端末１１０の識別子、タイムスタンプ及びリモコン端末１２０の証明情報が含まれている。証明情報は、ユーザＩＤを含んだリモコン端末認証部１０１にて生成されたデータであり、リモコン端末１２０にて事前に取得しておく。また、証明情報は、共用端末１００の他の手段によって生成されたものであっても良いし、他の証明情報を発行する装置によって発行されたものであっても良い。
【００７９】
ステップＳ２２にて、リモコン端末１２０から無線ネットワーク１３０を介して共用端末１００へ認証要求情報が送信されると、送信された認証要求情報は共用端末１００の通信部１０４を介してリモコン端末認証部１０１にて受信される（ステップＳ２４）。
【００８０】
認証要求情報が受信されると、リモコン端末認証部１０１にて、受信された認証要求情報に含まれるタイムスタンプの値と現在の時刻との差分時間が、認証許容時間の範囲内であるかどうかが判断される（ステップＳ２５）。ここで、認証許容時間は、リモコン端末認証部１０１に予め設定された数値データである。そして例えば、認証許容時間が「６０分」と設定されている場合、タイムスタンプの値と現在の時刻との差分時間が６０分以内であれば認証要求は受け付けられるが、６０分を超えているときは認証要求は受け付けられない。
【００８１】
タイムスタンプの値と現在の時刻との差分時間が、認証許容時間の範囲内であると判断された場合、受信された認証要求情報に含まれる証明情報からユーザＩＤが抽出される。抽出されたユーザＩＤと共用端末１００内の記録媒体に予め記録されているユーザ情報に含まれるユーザＩＤとがリモコン端末認証部１０１にて比較される（ステップＳ２６）。
【００８２】
抽出されたユーザＩＤと共用端末１００内の記録媒体に予め記録されているユーザ情報に含まれるユーザＩＤとが比較され、一致するものがあった場合、当該ユーザは登録済みのユーザと判断され、サービス及び利用内容が検索される（ステップＳ２７）。検索方法については、上述したセミナーの講師の場合のステップＳ７と同様である。
【００８３】
そして、検索されたサービス及び利用内容に基づいて、ステップＳ８と同様に、サービスの利用画面が生成され、通信部１０４から無線ネットワーク１３０を介してリモコン端末１２０へ送信される（ステップＳ２８）。ここで生成されるサービスの利用画面は、該サービスの利用内容に応じた操作権限を考慮した利用画面データである。具体的には、共用端末１００を操作する権限を持つユーザ向けには、サービスの操作ツールを含む画面が生成され、また、共用端末１００を操作する権限を持たないユーザ向けには、サービスの操作ツールを含まない画面が生成される。
【００８４】
また、このとき、サービス実行制御部１０２によって、サービス詳細ＩＤ３２３に基づいてサービスの共有画面が画面表示部１０３へ出力され、画面表示部１０３にて表示される。また、サービス実行制御部１０２によって、そのサービスが終了するまで、当該サービスを利用しているユーザのユーザＩＤとその操作権限とが対応付けられて権限情報として保持される。
【００８５】
一方、ステップＳ２５において、認証要求情報に含まれるタイムスタンプの値と現在の時刻との差分時間が、認証許容時間の範囲内でないと判断された場合、サービス実行制御部１０２によって、使用が許可できない旨を表す認証結果の画面が生成され、通信部１０４から無線ネットワーク１３０を介してリモコン端末１２０へ送信される（ステップＳ２９）。
【００８６】
また、ステップＳ２６において、証明情報から抽出されたユーザＩＤに基づいて当該ユーザが登録済みではないと判断された場合、サービス実行制御部１０２によって、使用が許可できない旨を表す認証結果の画面が生成され、通信部１０４から無線ネットワーク１３０を介してリモコン端末１２０へ送信される（ステップＳ２９）。
【００８７】
また、ステップＳ２９においてリモコン端末１２０へ送信される画面は、画面表示部１０３にて認証処理結果として表示されても良い。
【００８８】
また、ステップＳ２７において、ユーザが利用できるサービスが複数個取得された場合、そのサービスのリストが生成され、生成されたリストがリモコン端末１２０へ送信されても良い。そのとき、当該リストが画面表示部１０３に表示されても良い。
【００８９】
ステップＳ２８において、サービスの利用画面が共用端末１００から無線ネットワーク１３０を介してリモコン端末１２０へ送信されると、リモコン端末１２０の通信部１２４にて受信される（ステップＳ３０）。受信された利用画面は画面表示部１２３にて画面表示される（ステップＳ３１）。例えば、利用画面のデータがＨＴＭＬコンテンツである場合は、ブラウザ機能を持つアプリケーションを用いて、そのアプリケーション画面が表示される。また、そのアプリケーション画面には、共用端末１００を操作するためのユーザインタフェースが含まれ、ユーザが入力部１２１を操作することによって、共用端末１００のリモート操作が実行される。なお、操作を実行する手段は、リモコン端末１２０の数字ボタン等のキーでも良い。
【００９０】
リモコン端末１２０の画面表示部１２３にて利用画面が表示され、セミナーの聴講者が共用端末１００をリモート操作するために、画面表示部１２０に表示されたアプリケーション画面にて、操作情報、サービスＩＤ及びユーザＩＤを含む共用端末操作要求情報を入力すると、入力された共用端末操作要求情報がサービス要求処理部１２２から通信部１２４を介して共用端末１００へ送信される（ステップＳ３２）。ここで、サービスＩＤ及びユーザＩＤは、共用端末１００から送信されてリモコン端末１２０にて受信された利用画面に含まれているものとする。
【００９１】
リモコン端末１２０から送信された共用端末操作要求情報は、無線ネットワーク１３０を介して共用端末１００にて受信される（ステップＳ３３）。共用端末１００にて受信された共用端末操作要求情報は、通信部１０４を介してサービス実行制御部１０３にて受信される。
【００９２】
そして、サービス実行制御部１０３によって受信された共用端末操作要求情報内のサービスＩＤ及びユーザＩＤを検索キーとして、当該リモコン端末１２０が利用する権限があるかどうかが、保持されている権限情報から検索される（ステップＳ３４）。
【００９３】
受信された共用端末操作要求情報内のサービスＩＤ及びユーザＩＤが保持されている権限情報にある場合、共用端末操作要求情報に含まれる操作情報が、操作権を変更するための情報か、または共用端末１００の画面表示部１０３を操作するための情報かが判断される（ステップＳ３５）。リモコン端末１２０の画面表示部１２３に操作権を変更可能なユーザインタフェースを提供し、このユーザインタフェースを用いて、当該ユーザが、他のユーザに操作権を委譲したり、自分以外の全ユーザに操作権を解放したりすることができる。操作権変更のユーザインタフェースは、基本的には操作権を有するユーザが使用するリモコン端末１２０の画面表示部１２３に表示され、また操作権を持たないユーザが使用するリモコン端末１２０の画面表示部１２３には表示されない。操作情報が操作権を変更するための情報であると判断された場合は、サービス実行制御部１０２によって、共用端末操作要求情報に含まれる操作情報、サービスＩＤ及びユーザＩＤに基づいて、操作情報の操作権が変更され、権限情報のデータが更新される。（ステップＳ３６）。
【００９４】
一方、操作情報が共用端末１００の画面表示部１０３を操作するための情報であると判断された場合は、サービス実行制御部１０２によって、共用端末操作要求情報に含まれる操作情報に基づいて、共用端末１００の画面表示部１０３に表示されている画面が操作される。具体的には、操作情報にはサービスアプリケーションの実行コマンドが含まれており、サービス実行制御部１０２によって当該コマンドが実行される（ステップＳ３７）。ただし、セミナーの聴講者には閲覧の利用のみが可能となっている場合は、画面表示部１０３に表示されている画面を操作することはできない。
【００９５】
また、ステップＳ３４において、受信された共用端末操作要求情報内のサービスＩＤ及びユーザＩＤが保持されている権限情報にない場合、サービス実行制御部１０２によって、実行中のサービスに対する操作権を持たないユーザから共用端末操作要求情報が送信されてきたと判断され、利用を許可しない旨を表す認証結果の画面が生成され、通信部１０４から無線ネットワーク１３０を介してリモコン端末１２０へ送信される。（ステップＳ２９）。
【００９６】
そして、共用端末１００から送信された認証結果の画面が、リモコン端末の通信部１２４にて受信され（ステップＳ３８）、画面表示部１２３に表示される（ステップＳ３９）。
【００９７】
なお、共用端末１００と聴講者が所持するリモコン端末１２０とのデータのやりとりについては、情報提供端末１１０を経由するものであっても良い。
【００９８】
また、共用端末１００をリモート制御できるリモコン端末１２０の数に制限値を設けても良い。
【００９９】
また、リモコン端末１２０によって共用端末１００がリモート制御された時間が、共用端末１００に格納されても良い。つまり、リモコン端末１２０の認証が行われてから、リモート制御が終了するまでの時間が共用端末１００に格納されても良い。
【０１００】
上述した第１の実施の形態では、共用端末１００と情報提供端末１１０とが異なる場所に設置され、それぞれの端末を使って、各ユーザが認証要求をすることにより、各ユーザのリモコン端末１２０に適切な利用画面が表示され、異なる利用モードでリモコン端末１２０を活用することができる。具体的には、セミナーの講師は、壇上の共用端末１００にて認証要求を行うことにより、セミナー資料を操作可能なインタフェースを含むプレゼンター用の画面を見ながら、共用端末１００で実行されるサービスをリモート操作できる。
【０１０１】
一方、複数の聴講者は、会場入り口に設置された情報提供端末１１０にて認証要求を行うことにより、セミナー資料を個人的に閲覧可能な利用画面を利用する。
【０１０２】
講師がセミナー資料の演説を終え、質疑応答を行う場合には、講師が所持するリモコン端末１２０に表示されている操作権を一時的に解放するインタフェースを操作することにより、聴講者が所持するリモコン端末１２０によってもセミナー資料を操作できるようになる。さらに得られる効果として、コード情報にタイムスタンプを設けることにより、何時間も前にサービスを利用した者が不正に当該サービスを利用することを防ぐこともできる。
【０１０３】
（第２の実施の形態）
第２の実施の形態として、共用端末であるＴＶ会議設備（パーソナルコンピュータ）を使用してＴＶ会議を行う場合の形態を例に挙げて説明する。
【０１０４】
図５は、本発明のリモート制御システムの第２の実施の形態を示す図である。
【０１０５】
図５に示すように本形態は、共用端末５００と、リーダであるタグリーダ５１０−１〜５１０−ｎと、リモコン端末５２０とから構成されており、それぞれが無線ネットワーク５３０を介して接続されている。さらに、共用端末５００は、リモコン端末５２０の認証を行うリモコン端末認証部５０１と、リモコン端末５２０に供給するサービスを管理するサービス管理部５０５と、リモコン端末５２０に応じたサービスの実行を制御するサービス実行制御部５０２と、実行されたサービスの状況を画面に表示する画面表示部５０３と、無線ネットワーク５３０を介してタグリーダ５１０−１〜５１０−ｎ及びリモコン端末５２０と通信を行う通信部５０４とから構成されている。また、タグリーダ５１０−１〜５１０−ｎは、無線ネットワーク５３０の電波とタグリーダ５１０−１〜５１０−ｎとを接続する通信部５１２−１〜５１２−ｎと、ＩＣタグの情報を読み取るタグ読取部５１３−１〜５１３−ｎと、タグ読取部５１３−１〜５１３−ｎにて読み取られたＩＣタグ情報に基づいて、共用端末５００へ認証要求情報を送信するサービス実行制御部５１１−１〜５１１−ｎとからそれぞれ構成されている。また、リモコン端末５２０は、リモコン端末５２０を所持する利用者がリモコン端末５２０を操作するための内容を入力する入力部５２１と、共用端末５００に対してサービスを要求してその結果を受け取るサービス要求処理部５２２と、サービス要求処理部５２２にて受け取った結果を表示する画面表示部５２３と、無線ネットワーク５３０を介して共用端末５００及びタグリーダ５１０−１〜５１０−ｎと通信を行う通信部５２４と、リモコン端末５２０の個別識別情報がＩＣタグ情報として予め書き込まれたＩＣタグ５２５とから構成されている。ここで、個別識別情報は、リモコン端末５２０を識別するためのユーザＩＤやメールアドレス等の宛先情報である。
【０１０６】
共用端末５００は、会議室内の座席から見て正面に設置されている。また、リモコン端末５２０は、ＴＶ会議の参加者が所持する携帯端末とする。また、タグリーダ５１０−１〜５１０−ｎは、会議室内に数メートル間隔の場所に設置されており、タグリーダ５１０−１が共用端末５００に一番近い位置に設置されているものとする。また、タグリーダ５１０−１〜５１０−ｎが設置されている位置と共用端末５００が設置されている位置との間の距離が共用端末５００に予め設定されている。また、画面表示部５０３は、共用端末５００の外部にディスプレイケーブルによって接続されているものであっても良い。また、リモコン端末認証部５０１は、共用端末５００をリモート制御できる利用者のユーザＩＤを含むユーザ情報を共用端末５００が備えるディスク（不図示）やメモリ（不図示）等の記録媒体に記録する。また、サービス管理部５０５は、共用端末５００が提供可能なサービス情報、及び本システムで運用する各端末の役割とサービス内容と共用端末５００を操作するための権限情報とを対応付けて運用情報として共用端末５００が備えるディスク（不図示）やメモリ（不図示）等の記録媒体に記録する。また、入力部５２１は、携帯端末に装備される物理的な操作用のボタンであっても良いし、画面表示部５２３に表示された仮想的なボタンであっても良い。画面表示部５２３は、リモコン端末５２０に装備される小型の液晶ディスプレイとする。また、無線ネットワーク５３０には、無線のアクセスポイント（不図示）が介在し、タグリーダ５１０−１〜５１０−ｎ及びリモコン端末５２０が共用端末５００とデータの送受信を行うときは、当該アクセスポイントを経由する。また、共用端末５００、タグリーダ５１０−１〜５１０−ｎ及びリモコン端末５２０にて動作する各プログラムやデータベースは、物理的にそれぞれの端末が備えるハードディスク（不図示）に格納されており、必要に応じてそれぞれの端末が備えるＣＰＵ（不図示）によってメモリ（不図示）上に転送されて実行されることを想定している。また、ＩＣタグ５２５は、微弱無線を発信するアクティブ型のＲＦＩＤ（Radio  Frequency  Identification）を利用する。また、ＩＣタグ５２５が無線ネットワーク対応のものである場合は、ＩＣタグ５２５が無線ネットワーク５３０に直接接続可能となり、タグリーダ５１０−１〜５１０−ｎの通信部５１２−１〜５１２−ｎとの間にてデータのやりとりが行われる。
【０１０７】
上述した共用端末５００の各構成要素は、本発明の第1の実施の形態における共用端末１００の各構成要素とほぼ同様に動作する。第1の実施の形態における共用端末１００の動作と異なる点は、「コード情報」を扱わず、タグリーダ５１０−１〜５１０−ｎが設置されている「位置情報」に基づいてサービスの利用内容を選択する点である。
【０１０８】
以下に、上記のように構成されたリモート制御システムにおけるリモート制御方法について説明する。
【０１０９】
図６は、図５に示したリモート制御システムにおいて、リモコン端末５２０を用いて共用端末５００を制御するリモート制御方法を説明するためのフローチャートである。
【０１１０】
まず、第１の実施の形態と同様に、共用端末５００のサービス実行制御部５０２には、実行中のサービスＩＤごとに、サービス詳細ＩＤと、利用中のユーザＩＤと、当該ユーザの操作権限と、最大接続数及び接続完了数とからなる運用情報が予め格納されている。「接続完了数」とは、すでにサービスを利用中のリモコン端末５２０の総数である。「接続完了数」は、運用情報で定義された「最大接続数」を超えないように制御される。具体的には、すでにサービスを実行中のリモコン端末５２０を所持したユーザが場所を移動したことにより、リモコン端末５２０に提供するサービスの利用内容が変更されるときに、最大接続数と接続完了数が同値であった場合には、利用内容を変更せずに、予約状態にしておく。接続完了数が最大接続数を下回った時点で、予約状態のリモコン端末５２０が予約状態になった時と同じ実行条件を満たしていれば、サービス実行制御部５０２によって該当する利用画面が送信される。
【０１１１】
図７は、本形態における共用端末５００に格納されている運用情報のデータベース形式の一例を示す図である。
【０１１２】
図７に示すように運用情報は、サービスの実行条件７００と、当該実行条件を満たす位置にいるユーザに提供可能なサービスの識別情報であるサービスＩＤ７０１と、サービスの詳細情報であるサービス詳細ＩＤ７０２と、当該サービス詳細ＩＤ７０２に示される利用内容が割り当てられた操作の権限初期値７０３と、当該サービス詳細ＩＤ７０２に示される利用内容を適用可能な最大接続数７０４とが予め対応付けられたものであり、サービス管理部５０５に格納されている。
【０１１３】
実行条件７００には、１つ目の大括弧（［］）内に共用端末５００の識別情報である端末ＩＤが格納され、２つ目の大括弧内に当該共用端末５００からの距離（単位：メートル）が格納される。図７に示すように「［２００００００１］［≦２．０］」と格納されると、「端末ＩＤ＝２００００００１から２．０メートル以内」という条件になる。権限初期値７０３の「ＡＬＬＯＷ」は操作権利を有することを示し、また「ＤＥＮＹ」は操作権利が無いことを示す。最大接続数７０４は、数値もしくは「ＩＮＦＩＮＩＴＹ」（制限なし）が格納される。
【０１１４】
まず、会議を進行するプレゼンターが自分の所有するリモコン端末５２０を持って会議室に設置された共用端末５００の付近まで行くと、共用端末５００の近くに設置されているタグリーダ５１０−１のタグ読取部５１３−１によって、プレゼンターが所持するリモコン端末５２０のＩＣタグ５２５に書き込まれたＩＣタグ情報が読み取られる（ステップＳ４１）。
【０１１５】
ＩＣタグ５１３−１によって読み取られたＩＣタグ情報と、タグリーダ５１０−１に予め格納されているタグリーダ５１０−１を識別するためのタグリーダ識別情報とから認証要求情報がサービス実行制御部５１１−１によって生成され、生成された認証要求情報が通信部５１２−１から無線ネットワーク５３０を介して共用端末５００へ送信される（ステップＳ４２）。
【０１１６】
タグリーダ５１０−１から送信された認証要求情報が、共用端末５００にて受信されると（ステップＳ４３）、受信された認証要求情報に含まれるユーザＩＤに基づいて利用内容が検索される（ステップＳ４４）。検索方法は、第１の実施の形態において、図３（ａ）及び図３（ｂ）を用いて説明した方法と同様である。
【０１１７】
その後、認証要求情報に含まれるタグリーダ識別情報に基づいて、共用端末５００が設置されている位置とタグリーダ５１０−１が設置されている位置との間の距離が取得される。つまり、リモコン端末５２０と共用端末５００との間の距離が取得されることになる。
【０１１８】
リモコン端末５２０と共用端末５００との間の距離が取得されると、取得された距離を実行条件として、図７に示した運用情報から提供するサービスが検索される（ステップＳ４５）。
【０１１９】
サービス管理部５０５によって、共用端末５００の近くにいるプレゼンターが所持するリモコン端末５２０が実行条件７００の「［２００００００１］［≦２．０］」を満たしていると判断されると、サービス詳細ＩＤ７０２の「０００１」に相当するプレゼンター用の利用画面に接続するためのＵＲＬ情報がリモコン端末５２０へ送信される（ステップＳ４６）。
【０１２０】
ここで、プレゼンター用の利用画面とは、共用端末５００の画面表示部５０３に表示されている画面にマーカーしたり、ページを移動させたりといった操作ができるものである。
【０１２１】
また、送信する宛先として認証要求情報に含まれているリモコン端末５２０のメールアドレスを使用しても良いし、リモコン端末５２０を識別可能である情報であれば他のものを使用しても良い。
【０１２２】
共用端末５００から送信されたプレゼンター用の利用画面に接続するためのＵＲＬ情報がリモコン端末５２０にて受信されると（ステップＳ４７）、受信されたプレゼンター用の利用画面に接続するためのＵＲＬ情報が画面表示部５２３に表示される（ステップＳ４８）。
【０１２３】
プレゼンターが入力部５２１を使用して、画面表示部５２３に表示されたＵＲＬに接続すると、当該ＵＲＬに格納されているプレゼンター用の利用画面が取得され、画面表示部５２３に表示される(ステップＳ４９)。そして、表示されたプレゼンター用の利用画面が入力部５２１を使用して操作される（ステップＳ５０）。
【０１２４】
一方、会議に参加するオブザーバーが、自分の所有するリモコン端末５２０を所持して会議室の共用端末５００から離れた位置に着席すると、当該リモコン端末５２０のＩＣタグを読み取るタグリーダ５１０−２〜５１０−ｎについては、共用端末５００にてオブザーバーの実行条件７００の「［２００００００１］［＞２．０］」を満たしていると判断され、サービス詳細ＩＤ７０２の「０００２」に相当するオブザーバー用の利用画面に接続するためのＵＲＬ情報がリモコン端末５２０へ送信される（ステップＳ５１）。
【０１２５】
ここで、オブザーバー用の利用画面とは、共用端末５００の画面表示部５０３に表示されている画面の閲覧のみを許可された画面である。
【０１２６】
共用端末５００から送信されたオブザーバー用の利用画面に接続するためのＵＲＬ情報がリモコン端末５２０にて受信されると（ステップＳ５２）、受信されたオブザーバー用の利用画面に接続するためのＵＲＬ情報が画面表示部５２３に表示される（ステップＳ５３）。
【０１２７】
オブザーバーが入力部５２１を使用して、画面表示部５２３に表示されたＵＲＬに接続すると、当該ＵＲＬに格納されているオブザーバー用の利用画面が取得され、画面表示部５２３に表示される(ステップＳ５４)。
【０１２８】
なお、共用端末５００をリモート制御できるリモコン端末５２０の数に制限値を設けても良い。
【０１２９】
また、リモコン端末５２０によって共用端末５００がリモート制御された時間が、共用端末５００に格納されても良い。つまり、リモコン端末５２０の認証が行われてから、リモート制御が終了するまでの時間が共用端末５００に格納されても良い。
【０１３０】
上述した第２の実施の形態では、複数台のタグリーダ５１０−１〜５１０−ｎが会議室内に設置され、リモコン端末５２０のＩＣタグ５２５に書き込まれた情報がタグリーダ５１０−１〜５１０−ｎによって読み出されることにより、各ユーザのリモコン端末５２０に適切な利用画面を表示させて異なる利用モードを提供することができる。つまり、リモコン端末５２０を所持したユーザが移動するだけで、提供する利用画面を自動的に切り替えることが可能である。例えば、オブザーバーだったユーザＡが、会議資料について質問するため、共用端末５００に近寄ると、共用端末５００付近に設置されたタグリーダ５１０−１によってユーザＡが所持するリモコン端末５２０が検知される。また、プレゼンターだったユーザＢが共用端末５００から離れると、別のタグリーダ５１０−２〜５１０−ｎによってユーザＢが所持するリモコン端末５２０が検知される。共用端末５００に近い場所にいるユーザには、プレゼンターの利用画面が提供されるように運用情報を設定しているため、ユーザＢが所持するリモコン端末５２０はオブザーバー用の利用画面に、またユーザＡが所持するリモコン端末５２０はプレゼンターの利用画面に自動的に切り替わる。
【０１３１】
（第３の実施の形態）
第３の実施の形態として、共用端末である視聴覚設備を使用して、相談者がカウンセラーに対して遠隔相談を行う場合の形態を例に挙げて説明する。
【０１３２】
図８は、本発明のリモート制御システムの第３の実施の形態を示す図である。
【０１３３】
図８に示すように本形態は、共用端末８００と、共用端末８００とインターネット８３０を介して接続されているリモコン端末８２０と、共用端末８００とイントラネット８４０を介して接続されているリモコン端末８１０と、共用端末８００とＰＣ接続用ケーブルによって接続され、ＩＣタグに書き込まれた情報を読み取るタグリーダ８０６とから構成されている。さらに、共用端末８００は、リモコン端末８１０，８２０の認証を行うリモコン端末認証部８０１と、リモコン端末８１０，８２０に供給するサービスを管理するサービス管理部８０５と、リモコン端末８１０，８２０に応じたサービスの実行を制御するサービス実行制御部８０２と、実行されたサービスの状況を画面に表示する画面表示部８０３と、インターネット８３０を介してリモコン端末８２０と通信を行い、またイントラネット８４０を介してリモコン端末８１０と通信を行う通信部８０４とから構成されている。また、リモコン端末８１０は、リモコン端末８１０を所持する利用者がリモコン端末８１０を操作するための内容を入力する入力部８１１と、共用端末８００に対してサービスを要求してその結果を受け取るサービス要求処理部８１２と、サービス要求処理部８１２にて受け取った結果を表示する画面表示部８１３と、イントラネット８４０を介して共用端末８００と通信を行う通信部８１４と、リモコン端末８１０の認証要求情報がＩＣタグ情報として予め書き込まれた無線ネットワーク対応のＩＣタグ８１５とから構成されている。また、リモコン端末８２０は、リモコン端末８２０を所持する利用者がリモコン端末８２０を操作するための内容を入力する入力部８２１と、共用端末８００に対してサービスを要求してその結果を受け取るサービス要求処理部８２２と、サービス要求処理部８２２にて受け取った結果を表示する画面表示部８２３と、インターネット８３０を介して共用端末８００と通信を行う通信部８２４とから構成されている。ここでの認証要求情報の詳細については後述する。
【０１３４】
共用端末８００、タグリーダ８０６及びリモコン端末８１０は、学校・幼稚園内の視聴覚教室に設置されていることを想定とする。また、リモコン端末８２０は、相談を受けるカウンセラー等が所持する携帯電話であっても良い。また、画面表示部８０３は、共用端末１００の外部にディスプレイケーブルによって接続されているものであっても良い。また、ＩＣタグ８１５は、パッシブ型の非接触ＲＦＩＤ（無線ＩＣタグ）を利用する。また、リモコン端末認証部８０１は、共用端末８００をリモート制御できる利用者のユーザＩＤを含むユーザ情報を共用端末８００が備えるディスク（不図示）やメモリ（不図示）等の記録媒体に記録する。また、サービス管理部８０５は、共用端末８００が提供可能なサービス情報、及び本システムで運用する各端末の役割とサービス内容と共用端末８００を操作するための権限情報とを対応付けて運用情報として共用端末８００が備えるディスク（不図示）やメモリ（不図示）等の記録媒体に記録する。また、入力部８１１，８２１は、リモコン端末８１０，８２０に装備される物理的な操作用のボタンであっても良いし、画面表示部８１３，８２３にそれぞれ表示された仮想的なボタンであっても良い。また、画面表示部８１３，８２３は、リモコン端末８１０，８２０にそれぞれ装備される小型のディスプレイである。また、インターネット８３０及びイントラネット８４０には、無線のアクセスポイント（不図示）が介在し、リモコン端末８１０，８２０が共用端末８００とデータの送受信を行うときは、当該アクセスポイントを経由する。また、共用端末８００及びリモコン端末８１０，８２０にて動作する各プログラムやデータベースは、物理的にそれぞれの端末が備えるハードディスク（不図示）に格納されており、必要に応じてそれぞれの端末が備えるＣＰＵ（不図示）によってメモリ（不図示）上に転送されて実行されることを想定している。
【０１３５】
上述した共用端末８００の各構成要素は、本発明の第1の実施の形態における共用端末１００の各構成要素とほぼ同様に動作する。第1の実施の形態における共用端末１００の動作と異なる点は、「コード情報」を扱わず、リモート制御する端末の「接続経路」に基づいてサービスの利用内容を選択する点である。
【０１３６】
以下に、上記のように構成されたリモート制御システムにおけるリモート制御方法について説明する。
【０１３７】
図９は、図８に示したリモート制御システムの共用端末８００におけるリモート制御方法を説明するためのフローチャートである。
【０１３８】
図８に示したリモコン端末８１０によって認証要求情報が送信されるには、リモコン端末８１０を所持する相談者がＩＣタグ８１５をタグリーダ８０６にかざすと、ＩＣタグ８１５に予め書き込まれたリモコン端末８１０の認証要求情報がタグリーダ８０６によって読み取られる。そして、読み取られた認証要求情報がタグリーダ８０６から共用端末８００へ送信される。
【０１３９】
一方、リモコン端末８２０によって認証要求情報が送信されるには、共用端末８００へアクセスするための共用アドレス情報がリモコン端末８２０内に予め格納されており、当該共用アドレス情報に基づいてリモコン端末８２０によって共用端末８００へアクセスが行われる。そして、共用端末８００にてリアルタイムに発行されて送信されたアドレス情報（ワンタイムパスワードなどを含む一時的に利用可能なアドレスとする）がリモコン端末８２０にて受信され、リモコン端末８２０によってインターネット８３０を介して当該アドレス宛に認証要求情報が送信される。
【０１４０】
なお、認証要求情報には、少なくともリモコン端末８１０，８２０の証明情報が含まれている。証明情報は、リモコン端末８１０，８２０を識別するためのユーザＩＤを含んだリモコン端末認証部８０１にて生成されたデータであり、リモコン端末８１０，８２０にて事前に取得しておく。また、リモコン端末８１０，８２０のメールアドレス等の宛先情報も含まれる。また、証明情報は、共用端末８００の他の手段によって生成されたものであっても良いし、他の証明情報を発行する装置によって発行されたものであっても良い。
【０１４１】
リモコン端末８１０またはリモコン端末８２０から送信された認証要求情報が、サービス実行制御部８０２にて受信されると（ステップＳ６１）、受信された認証要求情報についてリモコン端末認証部８０１にて認証処理が行われる（ステップＳ６２）。
【０１４２】
そして、サービス実行制御部８０２にて当該認証要求情報がどの経路にて受信されたかの接続経路情報が、認証処理の結果の情報に付加されて、サービス管理部８０５へ出力される。この接続経路情報は、認証要求情報がタグリーダ９０６から送信されてきたのか、インターネット８３０経由で送信されてきたのかを識別するデータである。サービス管理部８０５にて、例えば、図７に示した実行条件７００の代わりに、接続経路の設定項目を設け、接続経路情報とサービスの利用内容とを対応付けて格納しておく。この場合、図７に示した実行条件７００の代わりに設定される接続経路として、タグリーダ８０６または通信部８０４のデバイスとしての識別子や、送信元のネットワークアドレスを使用しても良い。
【０１４３】
そして、サービス管理部８０５にて、接続経路情報に基づいてどの経路にて受信されたかが判断され、当該接続経路情報に応じた利用内容が検索される（ステップＳ６３）。
【０１４４】
受信経路がタグリーダ８０６であると判断された場合、サービス管理部８０５にて相談用の利用内容が検索され、サービス管理部８０５から通信部８０４及びイントラネット８４０を介して、リモコン端末８１０へ相談用画面が送信される（ステップＳ６４）。
【０１４５】
また、受信経路がインターネット８３０経由であると判断された場合、サービス管理部８０５にて回答用の利用内容が検索され、サービス管理部８０５から通信部８０４及びインターネット８３０を介して、リモコン端末８２０へ回答用画面が送信される（ステップＳ６５）。
【０１４６】
なお、相談用画面は、相談する内容について操作できる画面である。また、回答用画面は、相談された内容についての回答内容を操作できる画面である。
【０１４７】
本実施の形態を学校・幼稚園内に備えれば、問題行動のある児童の担当教師と、カウンセラーとの間で、指導方法の相談を行うことができる。インターネット（街中のホットスポットを含む公共のネットワーク）を利用することにより、担当カウンセラーは病院内にいるときも、往診の合間にも、教師からの問合せに対応できる。教師およびカウンセラーは、校内の視聴覚設備をリモート制御できるリモコン端末８１０を所持し、教師は共用端末８００の画面表示部８０３の画面を見ながら操作できるため、教師が所持するリモコン端末８１０には簡易な操作インタフェースが提供され、カウンセラーのリモコン端末８２０には共用端末８００に表示される画面データと操作インタフェースが提供される。このように、共用端末８００を利用するユーザがその場にいるのか、いないのかという違いは、リモート操作するユーザが持ち得る情報量が異なることを示唆する。したがって、ユーザの利用状況に応じて、必要な情報を含むようにサービス内容を切り替えることは有効である。
【０１４８】
以上説明したように、本発明の実施の形態として、セミナー、ＴＶ会議及び遠隔相談を取り上げたが、ほかの用途にも適用可能である。来場者参加型イベントにて使用される場合、イベント会場に集まった来場者および司会者がリモコン端末として携帯電話を持って、ステージ上の画面を見ながらゲームを進行する。ステージ上にいる司会者の携帯電話には、進行管理可能な操作インタフェースを提供し、イベント会場内にいる来場者のリモコン端末である携帯電話には、ゲームに参加するための操作インタフェースを提供する。司会者は、ゲーム参加の意思表示をした来場者に参加権利を与えることができる。また、遠隔相談のように、コミュニケーションする相手がその場にいなくとも、共用端末の画面を共有しながら双方から操作できる機能を応用して、金融系の遠隔商談や、製造系の緊急対応にも活用できると考えられる。
【０１４９】
また、本発明においては、共用端末１００，５００，８００、情報提供端末１１０、リモコン端末１２０，５２０,８１０，８２０及びタグリーダ５１０−１〜５１０−ｎ内の各構成要素における処理は、専用のハードウェアにより実現されるもの以外に、その機能を実現するためのプログラムを共用端末１００，５００，８００、情報提供端末１１０、リモコン端末１２０，５２０,８１０，８２０及びタグリーダ５１０−１〜５１０−ｎにて読取可能な記録媒体に記録し、この記録媒体に記録されたプログラムを共用端末１００，５００，８００、情報提供端末１１０、リモコン端末１２０，５２０,８１０，８２０及びタグリーダ５１０−１〜５１０−ｎに読み込ませ、実行するものであっても良い。共用端末１００，５００，８００、情報提供端末１１０、リモコン端末１２０，５２０,８１０，８２０及びタグリーダ５１０−１〜５１０−ｎにて読取可能な記録媒体とは、フロッピーディスク、光磁気ディスク、ＤＶＤ、ＣＤなどの移設可能な記録媒体の他、共用端末１００，５００，８００、情報提供端末１１０、リモコン端末１２０，５２０,８１０，８２０及びタグリーダ５１０−１〜５１０−ｎに内蔵されたＨＤＤ等を指す。この記録媒体に記録されたプログラムは、例えば、各構成要素にて読み込まれ、各構成要素によって、上述したものと同様の処理が行われる。
【図面の簡単な説明】
【０１５０】
【図１】本発明のリモート制御システムの第１の実施の形態を示す図である。
【図２】図１に示したリモート制御システムにおいて、セミナーの講師が共用端末を制御するリモート制御方法を説明するためのフローチャートである。
【図３】第１の実施の形態にてハードディスク等に格納されているデータベースの一構成例を示す図であり、（ａ）は、図１に示したリモコン端末認証部によって利用されるために格納されているユーザ情報の一構成例を示す図であり、（ｂ）は、図１に示したサービス管理部によって利用されるために格納されているサービス情報の一構成例を示す図であり、（ｃ）は、図１に示したサービス管理部によって利用されるために格納されている運用情報の一構成例を示す図である。
【図４】図１に示したリモート制御システムにおいて、セミナーの聴講者が共用端末を制御するリモート制御方法を説明するためのフローチャートである。
【図５】本発明のリモート制御システムの第２の実施の形態を示す図である。
【図６】図５に示したリモート制御システムにおいて、リモコン端末を用いて共用端末を制御するリモート制御方法を説明するためのフローチャートである。
【図７】第２の実施の形態における共用端末に格納されている運用情報のデータベース形式の一例を示す図である。
【図８】本発明のリモート制御システムの第３の実施の形態を示す図である。
【図９】図８に示したリモート制御システムの共用端末におけるリモート制御方法を説明するためのフローチャートである。
【符号の説明】
【０１５１】
１００，５００，８００    共用端末
１０１，５０１，８０１    リモコン端末認証部
１０２，１１１，５０２，５１１−１〜５１１−ｎ，８０２    サービス実行制御部
１０３，１１３，１２３，５０３，５２３，８０３，８１３，８２３    画面表示部
１０４，１１２，１２４，５０４，５１２−１〜５１２−ｎ，５２４，８０４，８１４，８２４    通信部
１０５，５０５，８０５    サービス管理部
１１０    情報提供端末
１２０，５２０，８１０，８２０    リモコン端末
１２１，５２１，８１１，８２１    入力部
１２２，５２２，８１２，８２２    サービス要求処理部
１２５    情報読取部
１３０，５３０    無線ネットワーク
３００    ユーザＩＤ
３０１    ユーザ名
３０２    所属グループ名
３１０，３２２，７０１    サービスＩＤ
３１１    サービス名
３１２    利用グループ名
３２０    端末ＩＤ
３２１    設置場所情報
３２３，７０２    サービス詳細ＩＤ
３２４，７０３    権限初期値
５１０−１〜５１０−ｎ，８０６    タグリーダ
５１３−１〜５１３−ｎ    タグ読取部
５２５，８１５    ＩＣタグ
７００    実行条件
７０４    最大接続数
８３０    インターネット
８４０    イントラネット
【図１】
0004412492.tif 000002
【図２】
0004412492.tif 000003
【図３】
0004412492.tif 000004
【図４】
0004412492.tif 000005
【図５】
0004412492.tif 000006
【図６】
0004412492.tif 000007
【図７】
0004412492.tif 000008
【図８】
0004412492.tif 000009
【図９】
0004412492.tif 000010